(57)【特許請求の範囲】
【請求項１】
オーガハウジング内に設けられたオーガパドルを動力源で駆動し、オーガパドルで集めた雪を、オーガハウジングの投雪口に回転可能に設けたシュータを介して放出するようにした除雪機において、
前記シュータの基部の外周面に、平面視弧状の多数の凹部を一定のピッチで設け、
前記オーガハウジングの投雪口には、該凹部の一つと係合するねじりバネを設け、該ねじりバネは、巻部分がシュータの前記凹部に係合する方向に弾発するように、その両端部をオーガハウジング側に取り付けた、
ことを特徴とする除雪機のシュータ取付構造。
【発明の詳細な説明】
【０００１】
【発明の属する技術分野】
本発明は、除雪機のオーガハウジング上に回転可能（旋回可能）に設けられ、オーガパドルで集めた雪を放出するシュータの取付構造に関する。
【０００２】
【従来の技術】
この種の除雪機として、従来特開昭６２−６３７０８号、特許第２５５６８８６号が知られている。
この除雪機は、ハウジング内に動力源で回転駆動されるオーガーパドルを備え、オーガパドルで雪を掻き集め、中央部の投雪部に寄せて集め、投雪部の回転遠心力で、投雪部に集めた雪をオーガハウジング上部の投雪口からシュータを介して外部に放出するものである。
【０００３】
【発明が解決しようとする課題】
以上のシュータは、オーガハウジングに対して回転（旋回）可能に上方に起立するように設けられ、又シュータの上端部には雪の放出方向の上下を調整するガイドコーンが伏仰可能に設けられている。
ところで、シュータは、回転させて雪の放出方向を変更するものであるが、回転させた当該位置における保持を、従来ではオーガハウジング側のシュータ取付部と、シュータ基部との摩擦に依存していることが多いが、摩耗等で回転し易くなったり、或いは回転させて位置調節を行う際、位置調節が難しい。
又オーガパドルによる雪の放出方向に対し、これと衝突する方向にシュータを向けた場合等において、シュータの回転に対する摩擦が小さくなった場合等においては、シュータの当該位置での保持性が不安定となる虞もある。
【０００４】
本発明は、以上の課題を解決すべくなされてもので、その目的とする処は、シュータの回転位置調節に際し、回転の都度クリック感（節度感）をもたせ、回転による調節位置の位置決めを確実に行わせ、併せて当該調整位置での保持を確実に行わせ、シュータ機能に優れる除雪機のシュータ取付構造を提供することにある。
【０００５】
【課題を解決するための手段】
上記課題を解決するために請求項１は、オーガハウジング内に設けられたオーガパドルを動力源で駆動し、オーガパドルで集めた雪を、オーガハウジングの投雪口に回転可能に設けたシュータを介して放出するようにした除雪機において、シュータの基部の外周面に、平面視弧状の多数の凹部を一定のピッチで設け、オーガハウジングの投雪口には、該凹部の一つと係合するねじりバネを設け、該ねじりバネは、巻部分がシュータの前記凹部に係合する方向に弾発するように、その両端部をオーガハウジング側に取り付けた。
【０００６】
請求項１では、シュータの基部の外周面に設けた弧状の凹部の一つに、ねじりバネが係合するので、バネの弾発力によりシュータは当該位置における保持が強固、確実になされる。又シュータを回転させ、雪の放出方向を変更する場合には、凹部間が突部となり、これをバネが乗り越え、目的とする角度の凹部に弾性的に係合するので、適度のクリック感が得られる。更に、凹凸を順次乗り越えつつ目的とする回転角度にシュータを回転調節することが出来るので、調節位置の検出、位置調節が容易、確実である。
【０００７】
【発明の実施の形態】
本発明の実施の形態を添付図に基づいて以下に説明する。なお、図面は符号の向きに見るものとする。
図１は本発明に係る除雪機の概略側面図、図２は同正面図、図３はシュータ部分の拡大側面図で、一部を破断して示した図、図４はシュータ基部に設けた凹部とねじりバネの係合を示す部分拡大斜視図、図５は図４の平面図、図６はオーガハウジングの縦断側面図、図７は図３の矢視７方向の図、図８は図３の８−８線の拡大断面図である。
図において、除雪機の進行方向を基準としてＦｒは前方を、Ｒｒは後方を示し、又Ｒは右方を、Ｌは左方を示した。
【０００８】
図１は本発明にかかる除雪機１の外観側面図を示し、基枠２上にエンジン３を搭載し、エンジン３の廻りをカバー４で覆い、カバー４内で、エンジン３後方、且つ側方には、燃料タンクを収納し、図では給油用のキャップ５が後部の上方に突出する。又基枠２の後部の下部から、後上傾するようにハンドル６を延出し、基枠２の下部を構成するプレート７の左右には転輪で構成した車輪８を備え、エンジン３の出力制御は、ハンドル６に付設したスロットルレバー９の操作でケーブル９ａを介して気化器を開閉制御して行う。
【０００９】
基枠２の前部にはオーガハウジング１０を備え、該オーガハウジング１０は、樹脂製の上半部１１と、鋼板の下半部１２とからなり、上半部１１と下半部１２とは、雪き落としを兼ねる梁状の連結板１３で連結され、上半部１１の後部１１ａには、ハウジング１０の幅方向の略々１／２を占める大きさの投雪口が設けられ、実施例では短いダクト１４で構成され、上方に向くように設けられている。
又上半部１１の前部１１ｂには、前上傾した前向きの開口が設けられている。
【００１０】
オーガパドル１５は、図２、図６に示す如く支軸１５ａ周の左右の部分に設けた螺旋部１５ｂ，１５ｂと、中央部の投雪部１５ｃとからなり、下半部１２の左右の側板１２ａ，１２ａに支軸１５ａを回転可能に支持して構成される。図６において１９は雪掻き量の調節、及び雪掻き後の地面の凹凸を掻きならすスクレーパである。
オーガパドル１５は、エンジン３の出力軸３ａに設けた駆動プーリ１６、ベルト１７、被動プーリ１８で、図６の矢印方向に回転駆動され、螺旋部１５ｂ，１５ｂで雪を掻いて中央部の投雪部１５ｃに寄せて集め、図６の矢印方向へのオーガパドル１５の回転遠心力で、投雪部１５ｃに集めた雪を上方の投雪口を構成するダクト１４から、後述するシュータ２１を介して放出する。
【００１１】
ところで、上記した投雪口を構成するダクト１４にかかるようにシュータ２１の受け部材２０を設け、該受け部材２０は、外形がディスク状で、ダクト１４の上端部を嵌合する開口部２０ａを備え、外周には一段下がった段部２０ｂを備え、全体として環状に外周部は構成される。
受け部材２０は、段部２０ｂの一部を、オーガハウジング１０の上半部１１の上端部に形成した取付ベース部１１ｃにネジ結合され、固着した。
【００１２】
受け部材２０の上に係合段部２２ａを備えるシュータ２１の基部２２を回転（旋回）可能に嵌合し、受け部材２０の段部２０ｂと、係合段部２２ａとを係合させ、径方向を規制しつつ受け部材２０に基部２２を嵌合する。
シュータ２１は、下端部の環状の基部２２と、これに下端部をネジ止め等して一体化したシュータ本体２３とからなり、シュータ本体２３の断面は前面に開放した平面視凹型をなし、下端部に環状の基部２２を結合、一体化して構成した。
又受け部材２０の段部下面を構成するフランジ部２０ｃの前半部に、基部２２の一部を覆うように上からカバー２４を被せるようにネジ止め等して固定し、カバー２４で基部２２の上方への動きを規制する。
【００１３】
以上の受け部材２２の環状の下半部２２ｃ外周には、図４、図５で拡大して示したように多数の平面視弧状の凹部２５…（…は複数を表す。以下同じ）を一定のピッチで放射状に設ける。
凹部２５…は環状の下半部２２ｃの径方向内方に潜るように形成し、凹部２５…の間は、下半部２２ｃの外周の円弧が残り、この部分は結果的に径方向外方に突出する凸部２６…となる。
【００１４】
一方、オーガハウジング１０の上半部１１上端部に設けた前述の受け部材２０は固定側であり、受け部材２０の段部２０ｂと、シュータ２１の基部２２の下半部２２ｃ内周に設けた段部２２ａとの係合で、基部２２、従って該基部２２と一体のシュータ２１は、受け部材２０外周を回転（旋回）可能に係合されているが、この受け部材２０にねじりバネ２７を設ける。
【００１５】
ねじりバネ２７は、多段のコイル状に形成した捲回部２７ａを備え、捲回部２７ａは軸方向（上下方向）に高さを備え、その捲回部２７ａの軸方向高さは、前記した弧状の凹部２５の高さと略々同等とする。
前記した固定側の受け部材２０の下端部外周に所定幅外周に突出した環状のフランジ部２０ｃの一部には、円周方向に所定の幅を有する欠部２０ｄを設け、これを図４、図５で明示した。
【００１６】
上記の欠部２０ｄの対向する端部の一方を上方に屈曲させて起立させ、ねじりバネ２７の係止片２０ｅを設け、係止片２０ｅの基部２２側端縁部の上部には、この側を向く係止溝２０ｆを設ける。一方、欠部２０ｄの係止片２０ｅと対向する反対側のフランジ部の面には、係止孔２０ｇを設ける。
【００１７】
以上のねじりバネ２７の捲回部２７ａの上端部から延出する線状の上部延出部２７ｂの最先端をＬ字型に曲げ、該Ｌ字型の先端部２７ｃを、前記した係止片２０ｅの係止溝２０ｆに係止し、この際、係止溝２０ｆの上縁部の一部には、上方への係止部２０ｈを設けておき、係止を確実化した。
一方、捲回部２７ａの下端部から延出する線状の下部延出部２７ｄを、欠部２０ｄ周辺部のフランジ部の下面に沿わせて係止孔２０ｇの方向に延ばし、最先端をコ字型に曲げた先端部２７ｅを、前記した係止孔２０ｇに係止する。
【００１８】
このように、ねじりバネ２７の高さのある捲回部２７ａの上下の延出部２７ｂ，２７ｄを、上端延出部２７ｂは受け部材２０の起立した係止片２０ｅに、又下端延出部２７ｄは受け部材２０の欠部２０ｄ周辺部の係止孔２０ｇに夫々先端部２７ｃ，２７ｅを係止し、ねじりバネ２７を取付、保持する。
ところで、ねじりバネ２７は、図５で明示したように捲回部２７ａはシュータ２１の基部２２の回転中心方向、即ち径方向中心方向に向くように配置し、反対側に前述の上下の延出部２７ｂ，２７ｄを配置し、その各先端部２７ｃ，２７ｅが受け部材２０側に係止させたので、ねじりバネ２７全体の取り付けは、捲回部２７ａを凹部２５方向に強く弾性的に押圧するように作用してなされる。
【００１９】
従って、ねじりバネ２７は、基部２２の環状部２２ｃ周の外周に弾性的に押圧されて受け部材２０に取り付け、支持されることとなる。
実施例では、基部外周部に形成した弧状の凹部２５…の曲率半径は、ねじりバネ２７の捲回部２７ａの曲率半径よりも少しく小さく設定し、捲回部２７ａ外周の１／２以下よりも少ない部分の外周が凹部２５に係合するように設定し、基部２２の回転時、即ちシュータ２１の回転時において、ねじりバネ２７を径方向外方に弾性的に撓むことで、凹凸２５…，２６…嵌合、乗り越えにより回転の円滑と、係合、保持の確実化を図った。
【００２０】
以上においては、雪の放出方向を変更するためのシュータ２１の回転（旋回）は、シュータ本体２３と一体の基部２２を、固定側であるオーガハウジング１０の前記した受け部材２０に対して回転することでなされる。シュータ２１、従って基部２２の回転方向は、図４、図５の矢印▲１▼で示す方向である。
図４、図５は何れもねじりバネ２７の捲回部２７ａの先端部の一部が所定の凹部２５に弾性的に係合し、前述のようにねじりバネ２７の捲回部２７ａの凹部２５への係合は、弾性的に強く押圧され、係合状態にある当該位置を保持する。
【００２１】
シュータ２１の回転は基部２２の回転でなされ、基部２２を矢印▲１▼のように所望の方向に回転させることでなされ、回転で捲回部２７ａは矢印▲２▼のように弾性的に径方向外方に撓み、凹部２５、回転方向に隣接する凸部２６に至ってこれを乗り越え、次の凹部２５に係合し、次の凸部２６を乗り越え、これを反復し、シュータ２１の向きが所望の位置で回転を止める。
この回転によるシュータ２１の雪の放出方向変更に際し、上述のように、ねじりバネ２７の捲回部２７ａは、凹凸２５…，２６…と係合、離脱、凸部２６の乗り越えを経てなされるので、凹部２５に係合する都度クリック感（節度感）が得られ、シュータ２１の回転位置の検出、位置調節の確認が容易に、確実に行える。
【００２２】
以上における回転位置調節後は、所望の凹部２５にねじりバネ２７の捲回部２７ａは係合し、上述のようにこの位置における捲回部２７ａの凹部２５との係合は弾性的に、強く、確実になされ、当該位置における保持を確実に行うことができる。
又構造的には、弧状の凹部２５とねじりバネ２７との組合わせなので、構造的にもシンプルであり、部品点数も少なくてすみ、組み付けも受け部材２０のねじりバネ２７を係止するだけなので、容易である。更にねじりバネの多段の捲回部２７ａを凹部２５に係合させる構造なので、凹部２５の高さに適合した巻数のねじりバネを容易に得ることが出来、且つ、凹部２５の高さ方向全域に亘り捲回部２７ａが接触するので、保持が確実である。
【００２３】
ところで、前記したシュータ２１の本体２３の上部に、雪放出の上下方向を調節するガイドコーン２８を設けた。
ガイドコーン２８は樹脂製で、図２に示すように正面の断面が凹型の樋状をなし、シュータ本体２３の先端部の外形に対して、外側から嵌合する形状をなす。
ガイドコーン２８は樹脂製なので、図７に示すように上板２８ａにはＴ字型のリブ２８ｂを、又図３に示すように、両側板２８ｃには周辺部を囲むようにリブ２８ｄを備える。
【００２４】
ガイドコーン２８の両側板２８ｃの上部内側には、図７に示すように平面視コ字型のハンドル２９の左右のバー２９ａ，２９ａの先部２９ｂ，２９ｂを挿入し、ビス３０…でガイドコーン２８の両側上部に外方に膨出するように設けた取付部２８ｅ，２８ｅ内側に止着して取り付ける。
左右のバー２９ａ，２９ａの先部２９ｂ，２９ｂのガイドコーン２８への取付長さは、ガイドコーン２８の長さの１／２程度、或いはこれ以上が好ましく、ハンドル２９の先部２９ｂ，２９ｂをガイドコーン２８の補強部材の一部とした。
【００２５】
ガイドコーン２８の上板２８ａの後端中央部で、前記したハンドル２９のバー２９ａの先部２９ｂを止着したビス３０の後部のものの上方にヒンジ取付部２８ｆを設け、一方、シュータ本体２３の上面の該当部位に支軸３１を横架し、ヒンジ取付部２８ｆを介してガイドコーン２８を、図３の矢印▲３▼方向である上下方向に回動可能に軸支する。
一方、ガイドコーン２８の両側板２８ｃには、支軸３１を中心とする円弧の一部を構成する弧状長孔３２を設け、該長孔３２の周りにはリブ３２ａを設ける。
【００２６】
図８に示すように、長孔３２の外側から、座金３４を介して内側のシュータ本体２３の先端部の両側の側板２３ａの取付孔２３ｂを貫通するようにボルト３３を通し、シュータ本体２３の側板２３ａの内側のナット３５にボルトネジ部３３ａを螺合し、この際、座金３６を介してナット３５と側板２３ａとの間に、スプリングワッシャ３７を介装した。
図３は、ガイドコーン２８の最上位の位置を示し、ハンドル２９を把持して矢印▲４▼の上方に押し上げると、ガイドコーン２８は支軸３１を支点として下方に回動し、回動は長孔３２とボルト３３との係合によるガイド作用でなされ、回動はスプリングワッシャ３７の弾発力に抗してなされる。当該伏仰調節位置での保持は、スプリングワッシャ３７の弾発力でなされる。
【００２７】
以上においては、ガイドコーン２８を樹脂製としてので軽量化が図れ、樹脂製で形成しつつ、ハンドル２９の左右のバーの先部２９ｂ，２９ｂをガイドコーン２８の側板２８ｃ，２８ｃの一部とし、且つ長さの１／２程度、或いは１／２以上の長さとしたことで、ガイドコーン２８を樹脂製としつつ、ハンドル２９のバーの先部２９ｂ，２９ｂが剛性部材として機能し、剛性アップを図ることが出来る。
ガイドコーン２８のシュータ本体２３に対する伏仰調節の支軸３１は、ガイドコーン２８の後部のビス３０止め部分の上方なので、ガイドコーン２８の伏仰調節の際の操作力が小さなものですみ、ガイドコーン２８の伏仰操作がし易くなった。
【００２８】
【発明の効果】
本発明は上記構成により次の効果を発揮する。
請求項１は、オーガハウジング内に設けられたオーガパドルを動力源で駆動し、オーガパドルで集めた雪を、オーガハウジングの投雪口に回転可能に設けたシュータを介して放出するようにした除雪機において、シュータの基部の外周面に、平面視弧状の多数の凹部を一定のピッチで設け、オーガハウジングの投雪口には、該凹部の一つと係合するねじりバネを設け、該ねじりバネは、巻部分がシュータの前記凹部に係合する方向に弾発するように、その両端部をオーガハウジング側に取り付けたので、シュータの基部の外周面に設けた弧状の凹部の一つに、ねじりバネが係合するので、バネの弾発力によりシュータは当該位置における保持が強固、確実になされる。
【００２９】
特に本発明では、シュータを回転させ、雪の放出方向を変更する場合には、凹部間が突部となり、これをねじりバネが乗り越え、目的とする角度の凹部に弾性的にねじりバネが係合するので、適度のクリック感が得られる。従って、シュータの回転（旋回）調節時に、所望の角度に変更すべく回転させた際、凹凸を順次乗り越えることでクリック感が得られ、目的とする回転角度にシュータを回転調節することが出来るので、調節位置の検出、位置調節が容易、確実である。
又ねじりバネを用いたので、シュータ基部の弧状の凹部との係合、離脱が円滑になされ、回転調節の円滑化と、当該凹部での係合保持の確実化が図れる。
【００３０】
又ねじりバネなので、シュータの基台に設けた弧状の凹部に高さがあっても、ねじりバネの捲回部（コイル部）の巻数を増減するだけで凹部に最適の弾性係合部を得ることが出来る外、構造的には、弧状の凹部２５をシュータの基部に設け、ねじりバネを固定側のオーガハウジング側に設ければ良く、構造的にも極めてシンプルであり、部品点数も少なくてすみ、組み付けも受け部材のねじりバネを係止するだけなので、容易である。更にねじりバネの多段の捲回部（コイル部）を固定側の弧状の凹部に係合させる構造なので、上述のように凹部の高さに適合した巻数のねじりバネを容易に得ることが出来、且つ、凹部の高さ方向全域に亘り捲回部が接触するので、保持が確実である。
【図面の簡単な説明】
【図１】本発明に係る除雪機の概略側面図
【図２】本発明に係る除雪機の正面図
【図３】本発明に係るシュータ部分の拡大側面図で、一部を破断して示した図
【図４】本発明に係るシュータ基部に設けた凹部とねじりバネの係合を示す部分拡大斜視図
【図５】図４の平面図
【図６】本発明に係るオーガハウジングの縦断側面図
【図７】図３の矢視７方向の図
【図８】図３の８−８線の拡大断面図
【符号の説明】
１…除雪機、  ３…動力源であるエンジン、  １０…オーガハウジング、  １４…投雪口であるダクト、  １５…オーガパドル、  ２１…シュータ、  ２２…シュータ基部、  ２５…弧状凹部、  ２７…ねじりバネ。
【図１】
0003630275.tif 000002
【図２】
0003630275.tif 000003
【図３】
0003630275.tif 000004
【図４】
0003630275.tif 000005
【図５】
0003630275.tif 000006
【図６】
0003630275.tif 000007
【図７】
0003630275.tif 000008
【図８】
0003630275.tif 000009